(57)【要約】【課題】  体温の上昇を有効に抑制することのできるペット用衣服を提供する。【解決手段】  犬１の胸部から背中の前部にかけて着脱自在に装着される第一の衣服２と、犬１の背中の後部に着脱自在に装着される第二の衣服１０と、犬１の腹部に着脱自在に装着される第三の衣服２０とを備える。これらの第一、第二、第三の衣服２・１０・２０を、犬１の体に接触する柔軟な下地層と、この下地層の表面を覆う柔軟な表面層３１と、下地層と表面層３１との間に介在するＰＶＡスポンジとからそれぞれ構成する。第一、第二、第三の衣服２・１０・２０に内蔵されたＰＶＡスポンジが水分を吸収して優れた保水性や冷却性を発揮するので、容易に熱放散して犬１の体温上昇を有効に防ぐことができる。【選択図】  図１
2006180772.tif 000002
【特許請求の範囲】
【請求項１】
ペットに衣服を着脱自在に着けるペット用衣服であって、衣服は、ペットに接触する下地層と、この下地層の表面を覆う表面層と、これら下地層と表面層との間に介在され、液体を吸収して冷却機能を発揮する冷却層とを含んでなることを特徴とするペット用衣服。
【請求項２】
衣服を、ペットの胸部から背中の前部にかけて装着される第一の衣服と、ペットの背中の後部に装着される第二の衣服と、ペットの腹部に装着される第三の衣服とした請求項１記載のペット用衣服。
【請求項３】
衣服を、ペットの胸部を覆う第一の被覆部と、この第一の被覆部に形成されてペットの背中を覆う第二の被覆部と、これら第一、第二の被覆部の間に形成されてペットの首に嵌まる貫通口と、第一、第二の被覆部にそれぞれ設けられる複数の粘着体とから構成した請求項１又は２記載のペット用衣服。
【請求項４】
冷却層を、ポリビニルアルコールを原料とした多孔質体、冷却機能を有するポリマー、及び又はフェルトを含む弾性吸水体とした請求項１、２、又は３記載のペット用衣服。
【発明の詳細な説明】
【技術分野】
【０００１】
本発明は、犬や猫等からなるペットの体温を下げることのできるペット用衣服に関するものである
【背景技術】
【０００２】
近年、愛らしいペット用の用品、具体的には、犬用品が盛んに製造・販売されている（特許文献１参照）が、この犬は、人間とは異なり、鼻付近と足の裏（肉球部分）等にしか汗腺がないという特徴がある。
【特許文献１】特開平１１‐４６６１３号公報
【発明の開示】
【発明が解決しようとする課題】
【０００３】
犬は、以上のように鼻付近と足の裏等にしか汗腺がなく、熱放散できずに体温の上昇を招きやすいので、気温の高い時期やアスファルトの輻射熱等が強い場合には、容易に脱水状態となり、頭痛や目まいを起こしやすいという大きな問題がある。特に、最近ペットして多く飼われている洋犬は、体毛が長いので、寒さには強いものの、暑さや湿度にはきわめて弱く、問題である。
【０００４】
本発明は上記に鑑みなされたもので、体温の上昇を抑制することのできるペット用衣服を提供することを目的としている。
【課題を解決するための手段】
【０００５】
本発明においては上記課題を解決するため、ペットに衣服を着脱自在に着けるものであって、
衣服は、ペットに接触する下地層と、この下地層の表面を覆う表面層と、これら下地層と表面層との間に介在され、液体を吸収して冷却機能を発揮する冷却層とを含んでなることを特徴としている。
【０００６】
なお、衣服を、ペットの胸部から背中の前部にかけて装着される第一の衣服と、ペットの背中の後部に装着される第二の衣服と、ペットの腹部に装着される第三の衣服とすることができる。
また、衣服を、ペットの胸部を覆う第一の被覆部と、この第一の被覆部に形成されてペットの背中を覆う第二の被覆部と、これら第一、第二の被覆部の間に形成されてペットの首に嵌まる貫通口と、第一、第二の被覆部にそれぞれ設けられる複数の粘着体とから構成することができる。
【０００７】
また、冷却層を、ポリビニルアルコールを原料とした多孔質体、冷却機能を有するポリマー、及び又はフェルトを含む弾性吸水体とすることができる。
また、衣服を、ペットに接触する下地層と、この下地層の表面を覆う表面層とから形成し、下地層を、液体を吸収して冷却機能を発揮する材料（例えば、ウレタンとマイクロファイバーの組み合わせ、マイクロファイバーとフェルトとの組み合わせ、フェルトを含む弾性吸水体等）を使用して形成することができる。
また、衣服を、ペットの胸部から背中の前部にかけて装着される第一の衣服と、ペットの背中の後部に装着される第二の衣服とすることができる。
【０００８】
また、第二の衣服に、ペットの後足に貫通される紐をそれぞれ略Ｃ字形、Ｕ字形、Ｖ字形等に取り付け、各紐には、後足の付け根付近に接触する保水性の弾性吸水体（例えば一般的なスポンジ、ＰＶＡスポンジ、冷却ポリマー、吸水パルプ体、吸水アクリル、フェルトを含む弾性吸水体等）を取り付けることが好ましい。
さらに、冷却層を、ポリビニルアルコールを原料とした多孔質体、冷却機能を有するポリマー、吸水パルプ体、及び又は吸水アクリルとすることもできる。
【０００９】
ここで、特許請求の範囲におけるペットには、四本足の動物やペット、具体的には各種の犬（特に洋犬）や猫等が含まれる。衣服は、複数枚でも良いが、サイズや長さを大きくして一枚とすることもできる。この衣服は、下地層、表面層、及び冷却層の三層構造に限定されるものではなく、四層以上の多層構造にすることができる。
【００１０】
衣服の下地層や表面層は、合成樹脂製の繊維や布により形成されるのが好ましいが、これに限定されるものではなく、例えば水洗い可能な一般的な布でも良い。冷却層は単数複数のいずれでも良い。この冷却層は、下地層と表面層との間における全領域に介在されても良いし、部分的に介在されても良い。さらに、冷却層は、矩形、多角形、菱形、円形、楕円形、又はこれらを組み合わせた形状に適宜形成することができる。
【００１１】
本発明によれば、ポリビニルアルコールを原料とした多孔質体、冷却機能を有するポリマー、及び又はフェルトを含む弾性吸水体等からなる冷却層が液体を吸収することにより冷却性を示すので、ペットに単数複数の衣服を着せれば、ペットの体温が低下する。
また、衣服を複数枚にすれば、気温やペットの体温等に応じ、衣服を選択してペットに着せることができる。
【発明の効果】
【００１２】
本発明によれば、ペットの体温の上昇を有効に抑制することができるという効果がある。
また、衣服を複数枚にすれば、着ける衣服を増減して涼しさや冷却の度合いを調整することができる。
【発明を実施するための最良の形態】
【００１３】
以下、図面を参照して本発明の好ましい実施の形態を説明すると、本実施形態におけるペット用衣服は、図１ないし図８に示すように、水分を含んだ状態で犬１に着脱自在に装着される第一、第二、第三の衣服２・１０・２０を備え、これら第一、第二、第三の衣服２・１０・２０を、犬１の体に接触する柔軟な下地層３０と、この下地層３０の表面を覆う柔軟な表面層３１と、下地層３０と表面層３１との間に部分的に介在され、水等の液体を吸収して冷却機能を発揮するＰＶＡスポンジ３２とからそれぞれ構成するようにしている。
【００１４】
第一、第二、第三の衣服２・１０・２０は、何回でも手洗い、水洗いできる同一の材料から構成される。第一の衣服２は、犬１の胸部を覆う平面略Ｔ字形、略凸字形の第一の被覆部３と、この第一の被覆部３に一体形成されて犬１の背中の前部を覆う平面略逆Ｔ字形、三角形の第二の被覆部４と、これら第一、第二の被覆部３・４の間に穿孔されて犬１の首筋に嵌まる丸い貫通口５と、第一、第二の被覆部３・４にそれぞれ縫製される複数の粘着テープ６とから第二、第三の衣服１０・２０よりも大きく形成される。
【００１５】
貫通口５の周囲には袋部７が周方向に縫製され、この袋部７には、貫通口５の大きさを調整するエンドレスの絞り紐８が挿入されており、この絞り紐８の一部が袋部７から外部操作可能に露出する。また、複数の粘着テープ６は、図示しないループにフックが引っかかることにより粘着する周知の構造に構成され、第一の被覆部３の両側部裏面、第二の被覆部４の両側部表面、及び第二の被覆部４の後部表面にそれぞれ縫製される。
【００１６】
複数の粘着テープ６のうち、第一の被覆部３の両側部と第二の被覆部４の両側部にそれぞれ縫製された粘着テープ６は、犬１に第一の衣服２を着せる際、着脱自在に相互に粘着し、第一の衣服２の着崩れを防止するよう機能する。
【００１７】
第二の衣服１０は、平面略半トラック形に形成され、犬１の背中の後部に着脱自在に装着される。この第二の衣服１０の前部裏面には、第二の被覆部４における後部表面の粘着テープ６に着脱自在に粘着する粘着テープ６Ａが縫製され、第二の衣服１０の両側部には、犬１の後足に貫通されるゴム紐１１がＵ字形に曲げてその両端部が縫製される。この伸縮性に優れるゴム紐１１には、吸水性や保水性のスポンジ１２が巻いて縫製され、各スポンジ１２が体毛の少ない後足の付け根付近に接触する。
【００１８】
第三の衣服２０は、例えば平面矩形に形成され、第二の衣服１０に支持されて体毛の少ない犬１の腹部に着脱自在に装着される。この第三の衣服２０の両側部には、第二の衣服１０の両側部に接続される結び紐２１やゴム紐等が縫製される。
【００１９】
下地層３０は、水洗い可能な合成樹脂製の薄いメッシュからなり、犬１の肌触りを良くする機能を有する。また、表面層３１は、水洗いが可能で撥水機能や透湿機能を有する薄い合成樹脂、例えばナイロンとポリエステルの複合繊維製の布からなり、表面に様々な色彩や模様が適宜施されており、下地層３０の周縁部にミシン等により縫製される。
【００２０】
ＰＶＡスポンジ３２は、ポリビニルアルコールを原料とした耐磨耗性、耐薬品性、弾力性、柔軟性等に優れる多孔質体からなり、表面層３１の裏面に接着あるいは縫製等されて気孔径や気孔率を自由に制御することができるという特徴を有する。
【００２１】
ＰＶＡスポンジ３２は、一般的なスポンジ等と比べ、高い親水性や速乾性を有し、水や氷水等に接触すると、縦横にめぐる微細気孔による毛細管現象の発生により、優れた吸水性や保水性を発揮するとともに、気化熱を利用して冷却機能を発揮する。このＰＶＡスポンジ３２としては、例えば（株）アイオン製や（株）井和工業製の製品を使用することができる。
【００２２】
上記において、気温の高い夏季等に犬１の体温の上昇を防ぎたい場合には、先ず、第一、第二、第三の衣服２・１０・２０を水道水等に浸して軽くもみ、これらを水垂れしない程度に搾って準備する。こうして第一、第二、第三の衣服２・１０・２０を湿らせたら、犬１の首筋に湿らせておいた第一の衣服２の貫通口５を嵌め入れてその第一の被覆部３を犬１の胸部にあてがうとともに、第二の被覆部４を犬１の背中にあてがい、これら第一、第二の被覆部３・４の両側部を相互に重ねて粘着テープ６により粘着し、第一の衣服２を装着する。
【００２３】
こうして第一の衣服２を装着したら、湿らせておいた第二の衣服１０のゴム紐１１を犬１の後足に通してゴム紐１１のスポンジ１２を後足の付け根付近に接触させ、第二の衣服１０を犬１の背中の後部にあてがってその前部を第一の衣服２の後部に粘着テープ６・６Ａを介して粘着接続する。
【００２４】
そして、犬１の腹部に湿らせておいた第三の衣服２０をあてがってその両側部を第二の衣服１０の両側部に結び紐２１やゴム紐を介して装着すれば、犬１に第一、第二、第三の衣服２・１０・２０を着せて犬１の体温の上昇を予防することができる。
【００２５】
なお、第一、第二、第三の衣服２・１０・２０は、一度濡らせば、おおよそ１日程度乾燥しないが、乾燥した場合には、再び水道水等に浸して軽くもみ、水垂れしない程度に搾れば良い。また、犬１の体温の上昇を防止するという観点からは、犬１の腹部に第三の衣服２０をあてがうことが最も効果的ではあるが、長時間腹部を冷却すれば、犬１の健康を損なうおそれもあるので、注意する必要がある。
【００２６】
上記によれば、第一、第二、第三の衣服２・１０・２０に内蔵されたＰＶＡスポンジ３２により、犬１が涼しくさわやかに感じるとともに、優れた保水性、冷却性、及び熱吸収性を得られるので、熱を放散して体温の調整を容易とし、犬１の体温上昇を有効に防ぐことができる。したがって、犬１の夏バテ等を有効に予防し、犬１を伴った快適な生活を追及することができる。また、第一、第二、第三の衣服２・１０・２０を洗濯して何回でも使用することができるので、長期にわたる使用が可能になる。
【００２７】
また、第一、第二の衣服２・１０を粘着テープ６・６Ａにより接続するので、犬１が激しく動き回っても、第二の衣服１０が位置ずれしたり、よれてしまうことがない。また、保水性のスポンジ１２を体毛の少ない後足の付け根付近に接触させるので、優れた冷却性を得ることができる。また、犬１の健康状態に応じて第一、第二、第三の衣服２・１０・２０を選択的に着せることができるので、犬１の体温低下を自由に調整することができる。
【００２８】
また、第一の衣服２の脱着にボタン等ではなく、粘着テープ６を使用するので、第一の衣服２を洗濯して搾る作業に支障を来たすことがなく、しかも、犬１が寝転んだ際、ボタンが犬１に圧接して不快感や傷の生じることがない。さらに、第一の衣服２の脱着に複数の紐を使用する場合には、洗濯時等に紐が絡むおそれがあるが、粘着テープ６を使用すれば、そのようなおそれもない。
【００２９】
なお、上記実施形態では犬１に第一、第二、第三の衣服２・１０・２０を着せたが、第一、第二、第三の衣服２・１０・２０を選択的に着せても良い。例えば図７や図８に示すように、犬１に第一の衣服２のみをベストとして着せても良い。また、第一の衣服２を延長して第二の衣服１０を省略しても良い。また、第二、第三の衣服１０・２０を一つにまとめて腹巻タイプとすることもできる。また、第一、第二、第三の衣服２・１０・２０の大きさ、長さ、形状等は、必要に応じて自由に変更することができる。
【００３０】
また、ＰＶＡスポンジ３２やスポンジ１２の代わりに冷却機能を有する冷却ポリマー（例えばアクリル酸ポリマーや水性ポリマー等、この点に関しては、特開平２００４‐１１３４０３号公報、特開平２０００‐１６７９０８号公報、特公表２００３‐５２８９５３号公報等の技術を利用できる）やフェルトを含む弾性吸水シート等を使用しても良いし、併用しても良い。このフェルトを含む弾性吸水シートとしては、例えば吸水アクリル、レイヨン、及び低融点ポリエステルの複合体があげられる。フェルトを含む弾性吸水シートには、保水機能を確保するため、ポリエチレンのラミネートシールを選択的に貼着することができる。
【００３１】
また、液体を吸収して冷却機能を発揮する吸水パルプ体や吸水アクリル等を単数複数使用したり、併用しても良い。さらに、ゴム紐１１にスポンジ１２を縫製したが、何らこれに限定されるものではない。例えば、ゴム紐１１にスポンジ１２を粘着テープ６を介して粘着したり、スポンジ１２の代わりにＰＶＡスポンジ３２等を巻き付けたり、あるいはスポンジ１２を省略しても良い。
【図面の簡単な説明】
【００３２】
【図１】本発明に係るペット用衣服の実施形態を模式的に示す説明図である。
【図２】本発明に係るペット用衣服の実施形態における第一、第二、第三の衣服の構造を示す断面説明図である。
【図３】本発明に係るペット用衣服の実施形態における第一の衣服を示す平面説明図である。
【図４】本発明に係るペット用衣服の実施形態における第一の衣服を示す裏面説明図である。
【図５】本発明に係るペット用衣服の実施形態における第二の衣服を示す平面説明図である。
【図６】本発明に係るペット用衣服の実施形態における第二の衣服を示す裏面説明図である。
【図７】本発明に係るペット用衣服の実施形態における第一の衣服の使用状態を示す側面説明図である。
【図８】本発明に係るペット用衣服の実施形態における第一の衣服の使用状態を示す正面説明図である。
【符号の説明】
【００３３】
１          犬（ペット）
２          第一の衣服（衣服）
３          第一の被覆部
４          第二の被覆部
５          貫通口
６          粘着テープ（粘着体）
６Ａ        粘着テープ（粘着体）
１０        第二の衣服（衣服）
２０        第三の衣服（衣服）
３０        下地層
３１        表面層
３２        ＰＶＡスポンジ（ポリビニルアルコールを原料とした多孔質体）
【図１】
2006180772.tif 000003
【図２】
2006180772.tif 000004
【図３】
2006180772.tif 000005
【図４】
2006180772.tif 000006
【図５】
2006180772.tif 000007
【図６】
2006180772.tif 000008
【図７】
2006180772.tif 000009
【図８】
2006180772.tif 000010
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
ペットに衣服を着脱自在に着けるペット用衣服であって、衣服は、ペットに接触する下地層と、この下地層の表面を覆う表面層と、これら下地層と表面層との間に介在され、液体を吸収して冷却機能を発揮する冷却層とを含み、この冷却層を、ポリビニルアルコールを原料とした多孔質体、及び又はフェルトを含む弾性吸水体としたことを特徴とするペット用衣服。
【請求項２】
衣服を、ペットの胸部から背中の前部にかけて装着される第一の衣服と、ペットの背中の後部に装着される第二の衣服と、ペットの腹部に装着される第三の衣服とした請求項１記載のペット用衣服。
【請求項３】
衣服を、ペットの胸部を覆う第一の被覆部と、この第一の被覆部に形成されてペットの背中を覆う第二の被覆部と、これら第一、第二の被覆部の間に形成されてペットの首に嵌まる貫通口と、第一、第二の被覆部にそれぞれ設けられる複数の粘着体とから構成した請求項１又は２記載のペット用衣服。
【手続補正２】
【補正対象書類名】明細書
【補正対象項目名】０００５
【補正方法】変更
【補正の内容】
【０００５】
本発明においては上記課題を達成するため、ペットに衣服を着脱自在に着けるものであって、
衣服は、ペットに接触する下地層と、この下地層の表面を覆う表面層と、これら下地層と表面層との間に介在され、液体を吸収して冷却機能を発揮する冷却層とを含み、この冷却層を、ポリビニルアルコールを原料とした多孔質体、及び又はフェルトを含む弾性吸水体としたことを特徴としている。
【手続補正３】
【補正対象書類名】明細書
【補正対象項目名】０００７
【補正方法】変更
【補正の内容】
【０００７】
また、衣服を、ペットに接触する下地層と、この下地層の表面を覆う表面層とから形成
し、下地層を、液体を吸収して冷却機能を発揮する材料（例えば、ウレタンとマイクロフ
ァイバーの組み合わせ、マイクロファイバーとフェルトとの組み合わせ、フェルトを含む
弾性吸水体等）を使用して形成することもできる。
また、衣服を、ペットの胸部から背中の前部にかけて装着される第一の衣服と、ペット
の背中の後部に装着される第二の衣服とすることもできる。
【手続補正４】
【補正対象書類名】明細書
【補正対象項目名】００１１
【補正方法】変更
【補正の内容】
【００１１】
本発明によれば、ポリビニルアルコールを原料とした多孔質体、及び又はフェルトを含む弾性吸水体等からなる冷却層が液体を吸収することにより冷却性を示すので、ペットに単数あるいは複数の衣服を着せれば、ペットの体温が低下する。
また、衣服を複数枚にすれば、気温やペットの体温等に応じ、衣服を選択してペットに
着せることができる。
【手続補正５】
【補正対象書類名】明細書
【補正対象項目名】００１２
【補正方法】変更
【補正の内容】
【００１２】
以上のように本発明によれば、ペット用衣服の冷却層を、ポリビニルアルコールを原料とした多孔質体、及び又はフェルトを含む弾性吸水体としたので、ペットの体温の上昇を有効に抑制することができるという効果がある。
また、衣服を複数枚にすれば、着ける衣服を増減して涼しさや冷却の度合いを調整する
ことができる。
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
四本足のペットに着脱自在に着けられ、水道水による手洗いが可能な衣服を、ペットの胸部を覆う第一の被覆部と、この第一の被覆部に一体形成されてペットの背中を覆う第二の被覆部と、これら第一、第二の被覆部の間に形成されてペットの首に嵌まる貫通口と、第一、第二の被覆部の両側部にそれぞれ設けられて着脱自在に互いに粘着する複数の粘着テープとから構成し、貫通口の周囲に袋部を周方向に縫製し、この袋部には、貫通口の大きさを調整する絞り紐を挿入してその一部を外部操作可能に露出させたペット用衣服であって、
衣服を、ペットに接触する下地層と、この下地層の表面を覆う表面層と、これら下地層と表面層との間に介在して積層され、水道水を吸収してペットを冷却する冷却層とから構成し、この冷却層をポリビニルアルコールを原料とした多孔質体、及び又はフェルトを含む弾性吸水体としたことを特徴とするペット用衣服。
【手続補正２】
【補正対象書類名】明細書
【補正対象項目名】０００５
【補正方法】変更
【補正の内容】
【０００５】
本発明においては上記課題を達成するため、四本足のペットに着脱自在に着けられ、水道水による手洗いが可能な衣服を、ペットの胸部を覆う第一の被覆部と、この第一の被覆部に一体形成されてペットの背中を覆う第二の被覆部と、これら第一、第二の被覆部の間に形成されてペットの首に嵌まる貫通口と、第一、第二の被覆部の両側部にそれぞれ設けられて着脱自在に互いに粘着する複数の粘着テープとから構成し、貫通口の周囲に袋部を周方向に縫製し、この袋部には、貫通口の大きさを調整する絞り紐を挿入してその一部を外部操作可能に露出させたものであって、
衣服を、ペットに接触する下地層と、この下地層の表面を覆う表面層と、これら下地層と表面層との間に介在して積層され、水道水を吸収してペットを冷却する冷却層とから構成し、この冷却層をポリビニルアルコールを原料とした多孔質体、及び又はフェルトを含む弾性吸水体としたことを特徴としている。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】００１１
【補正方法】変更
【補正の内容】
【００１１】
本発明によれば、ポリビニルアルコールを原料とした多孔質体、及び又はフェルトを含む弾性吸水体等からなる冷却層が水道水を吸収することにより冷却性を示すので、ペットに衣服を着せれば、ペットの体温が低下する。
【手続補正６】
【補正対象書類名】明細書
【補正対象項目名】００１２
【補正方法】変更
【補正の内容】
【００１２】
以上のように本発明によれば、ペット用衣服の冷却層を、ポリビニルアルコールを原料とした多孔質体、及び又はフェルトを含む弾性吸水体としたので、水道水の吸収により、ペットの体温上昇を有効に抑制することができるという効果がある。また、ペットに衣服を着せる際、粘着テープが着脱自在に相互に粘着するので、衣服の着崩れを防止することができる。また、衣服の脱着にボタン等ではなく、粘着テープを使用するので、衣服を洗濯して搾る作業に支障を来たすことがなく、しかも、ペットが寝転んだ際、ボタンがペットに圧接して不快感や傷の生じることがない。また、衣服の脱着に複数の紐を使用する場合には、洗濯時等に紐が絡むおそれがあるが、粘着テープを使用すれば、そのようなおそれもない。さらに、絞り紐の一部が袋部から外部操作可能に露出するので、衣服の貫通口の大きさを調整することも可能となる。